(57)【特許請求の範囲】
【請求項１】
第１の直流電圧が供給されたとき一方の偏波の衛星中間周波信号を出力し、第２の直流電圧が供給されたとき他方の偏波の衛星中間周波信号を出力する第１及び第２の衛星用コンバータにそれぞれ接続可能な第１及び第２の端子と、
第１及び第２の衛星用コンバータからの衛星中間周波信号のうち選択信号に基づいて選択されたものを出力する選択手段と、
第１及び第２の直流電圧とは異なる値であり、非直流制御信号が重畳または非重畳された第３の直流電圧と、第１の直流電圧と、第２の直流電圧とのうち選択されたものが外部から供給され、前記選択手段の出力信号を外部に出力する第３の端子と、
第１または第２の直流電圧が第３の端子に供給されたとき該直流電圧を第１の端子に供給し、かつ第１の衛星用コンバータの衛星中間周波信号を選択させる選択信号を前記選択手段に供給し、前記非直流制御信号が重畳された第３の直流電圧が第３の端子に供給されたとき、第２の端子に第３の直流電圧を変換した第１の直流電圧を供給すると共に、第２の衛星用コンバータからの衛星中間周波信号を選択させる選択信号を前記選択手段に供給し、前記非直流制御信号が非重畳の第３の直流電圧が第３の端子に供給されたとき、第２の端子に第３の直流電圧を変換した第２の直流電圧を供給すると共に、第２の衛星用コンバータからの衛星中間周波信号を選択させる選択信号を前記選択手段に供給する制御部とを、
具備する衛星信号切換装置。
【請求項２】
第１の直流電圧が供給されたとき一方の偏波の衛星中間周波信号を出力し、第２の直流電圧が供給されたとき他方の偏波の衛星中間周波信号を出力する第１及び第２の衛星用コンバータにそれぞれ接続可能な第１及び第２の端子と、
第１及び第２の衛星用コンバータからの衛星中間周波信号のうち選択信号に基づいて選択されたものを出力する選択手段と、
第１及び第２の直流電圧とは異なる値であり、非直流制御信号が重畳または非重畳された第３の直流電圧と、第１の直流電圧と、第２の直流電圧とのうち選択されたものが外部から供給され、前記選択手段の出力信号を外部に出力する第３の端子と、
第１または第２の直流電圧が第３の端子に供給されたとき該直流電圧を第１の端子に供給しかつ第１の衛星用コンバータの衛星中間周波信号を選択させる選択信号を前記選択手段に供給し、前記非直流制御信号が重畳された第３の直流電圧が第３の端子に供給されたとき、第２の端子に第３の直流電圧を変換した第１の直流電圧を供給すると共に第２の衛星用コンバータからの衛星中間周波信号を選択させる選択信号を前記選択手段に供給し、前記非直流制御信号が非重畳の第３の直流電圧が第３の端子に供給されたとき、第２の端子に第３の直流電圧を変換した第２の直流電圧を供給すると共に第２の衛星用コンバータからの衛星中間周波信号を選択させる選択信号を前記選択手段に供給する第１の制御部と、
第３の端子から第１または第２の衛星用コンバータの衛星中間周波信号を供給される第４の端子と、
第４の端子からの衛星中間周波信号が供給され、外部から第１または第２の直流電圧が供給される第５の端子と、
第４の端子からの衛星中間周波信号が供給され、外部から第１または第２の直流電圧が供給される第６の端子と、
第５の端子から第１または第２の直流電圧が供給されたとき、これを第４の端子に供給し、第６の端子から第１の直流電圧が供給されたとき、これを第３の直流電圧に変換して第４の端子に供給し、第６の端子から第２の直流電圧が供給されたとき、これを前記非直流制御信号が重畳された第３の直流電圧に変換して第４の端子に供給する第２の制御部とを、
具備する衛星信号切換システム。
【請求項３】
第１の直流電圧が供給されたとき一方の偏波の衛星中間周波信号を出力し、第２の直流電圧が供給されたとき他方の偏波の衛星中間周波信号を出力する第１及び第２の衛星用コンバータにそれぞれ接続可能な第１及び第２の端子と、
第１及び第２の衛星用コンバータからの衛星中間周波信号のうち選択信号に基づいて選択されたものを出力する選択手段と、
非直流制御信号が重畳または非重畳された第１及び第２の直流電圧のうち選択されたものが外部から供給され、前記選択手段の出力信号が外部に出力される第３の端子と、
前記非直流制御信号が非重畳の第１または第２の直流電圧が第３の端子に供給されたとき第１の端子に第１または第２の直流電圧を供給し、かつ第１の衛星用コンバータの衛星中間周波信号を選択させる選択信号を前記選択手段に供給し、前記非直流制御信号が重畳された第１または第２の直流電圧が第３の端子に供給されたとき第２の端子に第１または第２の直流電圧を供給すると共に、第２の衛星用コンバータからの衛星中間周波信号を選択させる選択信号を前記選択手段に供給する第１の制御部と、
第３の端子から第１または第２の衛星用コンバータの衛星中間周波信号を受ける第４の端子と、
第４の端子からの衛星中間周波信号が供給され、外部から第１または第２の直流電圧が供給される第５の端子と、
第４の端子からの衛星中間周波信号が供給され、外部から第１または第２の直流電圧が供給される第６の端子と、
第５の端子からのみ第１または第２の直流電圧が供給されたとき、これを第４の端子に供給し、第６の端子から第１及び第２の直流電圧の一方が供給されたとき、これに非直流制御信号を重畳して第４の端子に供給する第２の制御部とを、
具備する衛星信号切換システム。
【発明の詳細な説明】
【０００１】
【発明の属する技術分野】
本発明は、例えば通信衛星から送信される複数の衛星通信信号を受信アンテナに付属するコンバータで周波数変換した複数の中間周波信号を屋内に伝送するための衛星信号切換装置及びこの衛星信号切換装置を使用した衛星信号切換システムに関する。
【０００２】
【従来の技術】
近年、従来から行われていた１基の放送衛星からの衛星放送のほかに、衛星ディジタル放送も３基の通信衛星から送信され、盛んになってきた。合計４基の衛星からの信号を受信するためには、アンテナも複数本必要である。しかし、デュアルビームアンテナやＢＳ／ＣＳ共用アンテナ等の使用により、アンテナ本数を削減することができる。ところが、同軸ケーブルで接続された衛星放送受信用のアンテナと屋内の衛星放送受信用チューナからなる既存の受信装置に加えて、新たに衛星通信受信装置を設置する場合、屋外のアンテナと屋内の衛星通信受信用チューナとの間に同軸ケーブルを新たに敷設しなければならず、増設のたびに配線工事が必要となる。
【０００３】
衛星通信放送では、同一の周波数帯において水平偏波と垂直偏波とを利用して異なる放送を行っている。受信する衛星通信放送の偏波面の切換のために、衛星通信受信用アンテナのコンバータに異なる値の電圧を送ることが行われている。この電圧を利用して、切換スイッチを切り換えて、屋内のチューナに１本の同軸ケーブルを介して２つの衛星通信中間周波信号を伝送することも考えられる。
【０００４】
【発明が解決しようとする課題】
ところが、異なる衛星通信にそれぞれ対応する衛星通信受信用コンバータでも、偏波面の切換には、同一の電圧が使用されている。例えば通信衛星Ａの垂直偏波への切換と、通信衛星Ｂの垂直偏波への切換とには、同一の電圧ａが使用され、通信衛星Ａの水平偏波への切換と、通信衛星Ｂの水平偏波への切換とには、同一の電圧ｂが使用されている。そのため、同一の通信衛星からの垂直偏波の中間周波信号と水平偏波の中間周波信号とを切換えて、１本の同軸ケーブルを介して屋内のチューナに伝送することは可能であるが、異なる通信衛星からの垂直偏波及び水平偏波の各中間周波信号を切換えることはできなかった。
【０００５】
本発明は、異なる通信衛星からの信号でも１本の同軸ケーブルによって屋内に伝送することができる切換装置及びこの切換装置を使用した切換システムを提供することを目的とする。
【０００６】
【課題を解決するための手段】
本発明の衛星信号切換装置は、第１及び第２の端子を有している。第１及び第２の端子は、第１及び第２の衛星用コンバータにそれぞれ接続可能である。第１及び第２の衛星用コンバータは、第１の直流電圧が供給されたとき一方の偏波の衛星中間周波信号を出力し、第２の直流電圧が供給されたとき他方の偏波の衛星中間周波信号を出力する。第１及び第２の衛星用コンバータからの衛星中間周波信号のうち選択信号に基づいて選択されたものを選択手段が出力する。第３の端子には、第１、第２または第３の直流電圧のうち選択されたものが供給される。第３の直流電圧は、第１及び第２の直流電圧とは異なる値であり、非直流制御信号が重畳または非重畳されている。第３の端子から、前記選択手段の出力信号を外部に出力する制御部も設けられている。制御部は、第１または第２の直流電圧が第３の端子に供給されたとき、該直流電圧を第１の端子に供給し、かつ第１の衛星用コンバータの衛星中間周波信号を選択させる選択信号を前記選択手段に供給する。制御部は、前記非直流制御信号が重畳された第３の直流電圧が第３の端子に供給されたとき、第２の端子に第３の直流電圧を変換した第１の直流電圧を供給すると共に、第２の衛星用コンバータからの衛星中間周波信号を選択させる選択信号を前記選択手段に供給する。制御部は、前記非直流制御信号が非重畳の第３の直流電圧が第３の端子に供給されたとき、第２の端子に第３の直流電圧を変換した第２の直流電圧を供給すると共に、第２の衛星用コンバータからの衛星中間周波信号を選択させる選択信号を前記選択手段に供給する。
【０００７】
第３の端子に第１または第２の直流電圧が供給されると、この直流電圧が第１の端子を介して第１の衛星用コンバータに供給され、第１のコンバータから一方または他方の偏波の中間周波信号が第１の端子に供給される。このとき、選択手段は、第１の衛星用コンバータからの衛星中間周波信号を選択して、第３の端子に供給する。第３の端子に非直流制御信号が重畳された第３の直流電圧が供給されると、第２の端子に第１の直流電圧が供給され、第２の衛星用コンバータは、一方の偏波の衛星中間周波信号を第３の端子に供給する。選択手段は、この一方の偏波の衛星中間周波信号を選択して、第２の端子に供給する。同様に第３の端子に非直流制御信号が非重畳の第３の直流電圧が供給されると、第２の端子に第２の直流電圧が供給され、第２の衛星用コンバータは他方の偏波の衛星中間周波信号を第３の端子に供給する。選択手段は、この他方の偏波の衛星中間周波信号を選択して、第２の端子に供給する。従って、同じ第１及び第２の直流電圧によって偏波面を切換える２つの衛星用コンバータを使用している場合でも、出力端子に接続される伝送線路によって、これらコンバータからの衛星中間周波信号を伝送することができる。
【０００８】
本発明による衛星信号切換システムは、上述した衛星信号切換装置の他に、別の衛星信号切換装置を有している。この衛星信号切換装置は、第３の端子から第１または第２の衛星用コンバータの衛星中間周波信号を受ける第４の端子を有している。さらに、第４の端子からの衛星中間周波信号が供給され、外部から第１または第２の直流電圧が供給される第５の端子も設けられている。第４の端子からの衛星中間周波信号が供給され、外部から第１または第２の直流電圧が供給される第６の端子も設けられている。第２の制御部は、第５の端子から第１または第２の直流電圧が供給されたとき、これを第４の端子に供給する。第２の制御部は、第６の端子から第１の直流電圧が供給されたとき、これを第３の直流電圧に変換して、第４の端子に供給する。第２の制御部は、第６の端子から第２の直流電圧が供給されたとき、これを前記非直流制御信号が重畳された第３の直流電圧に変換して、第４の端子に供給する。
【０００９】
このシステムでは、第５の端子から第１または第２の直流電圧が供給されたとき、この電圧がそのまま第４の端子に供給され、衛星信号切換装置の第３の端子に供給され、衛星信号切換装置は、上述した動作をする。また、第６の端子から第１の直流電圧が供給されると、非直流制御信号が非重畳の第３の直流電圧に変換され、第４の端子を介して衛星信号切換装置の第３の端子に供給され、上述したように衛星信号切換装置を動作させる。第６の端子から第２の直流電圧が供給されると、非直流制御信号が重畳された第３の直流電圧に変換され、第４の端子を介して衛星信号切換装置の第３の端子に供給され、上述したように衛星信号切換装置が動作する。
【００１０】
本発明による他の衛星信号切換システムは、衛星信号切換装置を有している。この衛星信号切換装置は、上記の衛星信号切換装置と同様に、第１及び第２の端子と、選択手段と、第３の端子とを有している。制御部は、前記非直流制御信号が非重畳の第１または第２の直流電圧が第３の端子に供給されたとき、第１の端子に第１または第２の直流電圧を供給し、かつ第１の衛星用コンバータの衛星中間周波信号を選択させる選択信号を前記選択手段に供給する。制御部は、前記非直流制御信号が重畳された第１または第２の直流電圧が第３の端子に供給されたとき、第２の端子に第１または第２の直流電圧の一方を供給すると共に、第２の衛星用コンバータからの衛星中間周波信号を選択させる選択信号を前記選択手段に供給する。制御部は、前記非直流制御信号が非重畳の第１または第２の直流電圧が第３の端子に供給されたとき、第２の端子に第１または第２の直流電圧を供給するとともに、第２の衛星用コンバータからの衛星中間周波信号を選択させる選択信号を前記選択手段に供給する。
【００１１】
この衛星信号切換装置によれば、非直流制御信号の重畳の有無によって第１または第２の直流電圧を第２の端子に供給している。
【００１２】
本発明による他の衛星信号切換システムは、上述した衛星信号切換装置の他に、上述した衛星信号切換システムと同様に、第４の端子と、第５の端子と、第６の端子を有している。制御部は、第５の端子からのみ第１または第２の直流電圧が供給されたとき、これを第４の端子に供給し、第６の端子から第１または第２の直流電圧の一方が供給されたとき、これに非直流制御信号を重畳して第４の端子に供給する。
【００１３】
この衛星信号切換システムによれば、第５の端子に第１または第２の直流電圧が供給されたとき、これをそのまま第４の端子に供給し、第６の端子に第１または第２の電圧が供給されると、これに非直流制御信号を重畳して第４の端子に供給する。従って、衛星信号切換装置は、上述したものと同様に動作する。
【００１４】
【発明の実施の形態】
本実施の形態の衛星信号切換システムは、図１に示すように、放送衛星からの衛星放送信号を受信するための衛星放送受信用アンテナ２を有している。この衛星放送受信用アンテナ２には、衛星放送用コンバータ４が付属している。この衛星放送用コンバータ４から衛星放送中間周波信号が同軸ケーブル６を介して屋外用衛星信号切換装置８の衛星放送用入力端子１０に供給される。
【００１５】
衛星信号切換システムは、第１及び第２の通信衛星からの衛星通信信号を受信するための衛星通信受信用デュアルビームアンテナ１２も有している。このアンテナ１２には、第１の衛星用コンバータ、例えばデュアルビーム用コンバータ１４が付属している。このコンバータ１４は、第１の通信衛星からの垂直及び水平偏波の衛星通信中間周波信号と、第２の通信衛星からの垂直及び水平偏波の衛星通信中間周波信号とのうちいずれかを出力する。これらは、同軸ケーブル１６を介して屋外用衛星信号切換装置８の第１の端子、例えばデュアルビーム用入力端子１８に供給されている。
【００１６】
デュアルビーム用コンバータ１４は、同軸ケーブル１６を介して第１の電圧、例えば＋１１Ｖの直流電圧のみが供給されたとき、第１の通信衛星からの垂直偏波の衛星通信信号を周波数変換した垂直偏波中間周波信号を出力し、同軸ケーブル１６を介して第２の電圧、例えば＋１５Ｖの直流電圧のみが供給されたとき、第１の通信衛星からの水平偏波の衛星通信信号を周波数変換した水平偏波中間周波信号を出力する。同様に、デュアルビーム用コンバータ１４は、同軸ケーブル１６を介して非直流制御信号、たとえばパルス信号が重畳された＋１１Ｖの直流電圧が供給されたとき、第２の通信衛星からの垂直偏波の衛星通信信号を周波数変換した垂直偏波中間周波信号を出力し、同軸ケーブルを介して上記パルス信号が重畳された＋１５Ｖの直流電圧が供給されたとき、第２の通信衛星からの水平偏波の衛星通信信号を周波数変換した水平偏波中間周波信号を出力する。
【００１７】
この衛星信号切換システムは、第３の通信衛星からの衛星通信信号を受信するための衛星通信受信用アンテナ２０を有している。このアンテナ２０には、第２の衛星用コンバータ、例えば衛星通信用コンバータ２２が付属している。このコンバータ２２から垂直偏波の衛星通信中間周波信号と水平偏波の衛星通信中間周波信号とが選択的に出力され、これらは同軸ケーブル２４を介して屋外用衛星信号切換装置８の第２の端子、例えば衛星通信用入力端子２６に供給されている。衛星通信用コンバータ２２は、＋１１Ｖの直流電圧が同軸ケーブル２４を介して入力されたとき、垂直偏波の中間周波信号を出力し、＋１５Ｖの直流電圧が同軸ケーブル２４を介して入力されたとき、水平偏波の中間周波信号を出力する。
【００１８】
屋外用衛星信号切換装置８は、第３の端子、例えば出力端子２８を有し、この出力端子２８は、同軸ケーブル３０を介して屋内に設けられている屋内用切換装置３２の第４の端子、例えば入力端子３４に接続されている。屋内用切換装置３２は、この他に衛星放送用出力端子３６を有している。この衛星放送用出力端子３６は、衛星放送受信用チューナ３８に同軸ケーブル４０を介して接続されている。さらに、屋内用切換装置３２は、第５の端子、例えばデュアルビーム衛星通信用出力端子４２を有し、このデュアルビーム衛星通信用出力端子４２はデュアルビーム衛星通信受信用チューナ４４に同軸ケーブル４６を介して接続されている。同様に屋内用切換装置３２は、第６の端子、例えば衛星通信用出力端子４８を有し、この衛星通信用出力端子４８は、衛星通信受信用チューナ５０に同軸ケーブル５２を介して接続されている。
【００１９】
屋外用衛星信号切換装置８は、上述した各アンテナ２、１２、２０の近傍に配置されており、図２に示すように構成されている。即ち、デュアルビーム用入力端子１８及び衛星通信用入力端子２６は、直流阻止コンデンサ５０、５２を介して選択手段、たとえば切換スイッチ５４の２つの接点５４ａ、５４ｂに接続されている。この切換スイッチ５４の接触子５４ｃは、混合回路５６の一方の入力端子に接続されている。また、衛星放送用入力端子１０は直流阻止コンデンサ５８を介して混合回路５６の他方の入力に接続されている。この混合回路５６の出力側は直流阻止コンデンサ６０を介して出力端子２８に接続されている。
【００２０】
出力端子２８には、後述するように屋内用切換装置３２から＋１５Ｖ、＋１１Ｖのみの直流電圧、これら電圧にそれぞれパルス信号を重畳した直流電圧、第３の電圧、例えば＋８Ｖのみの電圧またはこれにパルス信号を重畳した直流電圧のいずれかが供給される。
【００２１】
出力端子２８は、高周波阻止コイル６２を介して電圧変換回路６４に接続されている。この電圧変換回路６４は、上述したいずれの直流電圧が供給されても、これを＋１５Ｖの直流電圧に変換し、高周波阻止コイル６６を介して衛星放送用入力端子１０に供給している。従って、衛星放送用コンバータ４には、常時、＋１５Ｖの直流電圧が供給され、衛星放送用コンバータ４は、衛星放送中間周波信号を衛星放送用入力端子１０に常に供給している。
【００２２】
出力端子２８は、高周波阻止コイル６２を介して比較回路６８にも接続されている。比較回路６８は、出力端子２８の直流電圧が＋８Ｖであるか、或いは＋１１Ｖもしくは＋１５Ｖであるかを判断するものである。出力端子２８の直流電圧が、＋１１Ｖまたは＋１５Ｖであると、比較回路６８は、それを高周波阻止コイル７０を介してデュアルビーム衛星通信用入力端子１８に供給する。
【００２３】
比較回路６８は、出力端子２８の直流電圧が、＋８Ｖよりも大きいとき、切換スイッチ５４の接触子５４ｃを接点５４ａ側に切換える選択信号を切換スイッチ５４に供給する。これによって、デュアルビーム用コンバータ１４が動作し、＋１５Ｖのみが供給されているとき、第１の通信衛星からの水平偏波の衛星通信中間周波信号を出力し、＋１１Ｖのみが供給されているときには、第１の通信衛星からの垂直偏波の衛星通信中間周波信号を出力し、＋１５Ｖにパルス信号が重畳されているとき、第２の通信衛星からの水平偏波の衛星通信中間周波信号を出力し、＋１１Ｖにパルス信号が重畳されているとき、第２の通信衛星からの垂直偏波の衛星通信中間周波信号を出力する。これら衛星通信中間周波信号は、デュアルビーム用入力端子１８に供給される。
【００２４】
また、比較回路６８は、出力端子２８の直流電圧が、＋８Ｖであると、切換スイッチ５４の接触子５４ｃを接点５４ｂ側に切換える選択信号を切換スイッチ５４に供給する。これによって、衛星通信用入力端子２６に供給された衛星通信中間周波信号が切換スイッチ５４を介して混合回路５６に供給される。
【００２５】
同じく、比較回路６８は、出力端子２８の直流電圧が＋８Ｖであると、パルス検波回路７１を駆動する。パルス検波回路７１は、出力端子２８に高周波阻止コイル６２及び直流阻止コンデンサ７２を介して接続され、出力端子２８に供給された直流電圧にパルス信号が重畳されているか否かを判断する。このパルス検波回路７１は、＋８Ｖの直流電圧が出力端子２８に供給されている場合のみ動作するので、＋８Ｖの直流電圧にパルス信号が重畳されているか否かを判断する。従って、パルス信号は、＋１５Ｖまたは＋１１Ｖに重畳されているものと同一のものを使用できる。
【００２６】
パルス検波回路７１は、パルス信号が重畳されている場合、電圧変換回路７４によって＋８Ｖの直流電圧を＋１５Ｖの直流電圧に変換し、逆流防止ダイオード７６、高周波阻止コイル７８を介して衛星通信用入力端子２６に供給する。これによって、衛星通信用コンバータ２２が動作し、第３の通信衛星からの水平偏波の衛星通信中間周波信号が衛星通信用入力端子２６、直流阻止コンデンサ５２を介して切換スイッチ５４に供給される。
【００２７】
パルス検波回路７１は、パルス信号が重畳されていない場合、電圧変換回路８０によって＋８Ｖの直流電圧を＋１１Ｖの直流電圧に変換し、逆流阻止ダイオード８２、高周波阻止コイル７８を介して衛星通信用入力端子２６に供給する。これによって、衛星通信用コンバータ２２が動作し、第３の通信衛星からの垂直偏波の衛星通信中間周波信号が衛星通信用入力端子２６、直流阻止コンデンサ５２を介して切換スイッチ５４に供給される。
【００２８】
切換スイッチ５４、比較回路６８、パルス検波回路７１、電圧変換回路７４、８０が、第１の制御部を構成している。
【００２９】
屋内用衛星信号切換装置３２では、図３に示すように、入力端子３４は直流阻止コンデンサ８４を介して分波回路８６に接続されている。この分波回路８６は、衛星放送中間周波信号と、各衛星通信中間周波信号とを分波する。分波された衛星放送中間周波信号は、衛星放送用出力端子３６に供給されている。
【００３０】
分波された各衛星通信中間周波信号は、選択手段、例えば切換スイッチ８８の接触子８８ａに供給されている。切換スイッチ８８は、接点８８ｂ、８８ｃを有し、接点８８ｂは直流阻止コンデンサ９０を介してデュアルビーム衛星通信用出力端子４２に接続されている。接点８８ｃは直流阻止コンデンサ９３を介して衛星通信用出力端子４８に接続されている。
【００３１】
デュアルビーム衛星通信用出力端子４２は、高周波阻止コイル９２を介して選択手段、例えば切換スイッチ９４の接点９４ａに接続されている。衛星通信用出力端子４８は、高周波阻止コイル９６を介して電圧変換回路９８に接続されている。この電圧変換回路９８は、＋１５Ｖまたは＋１１Ｖの直流電圧が、衛星通信用出力端子４８を介して衛星通信受信用チューナ５０から供給されたとき、これらの電圧を＋８Ｖの直流電圧に変換して、切換スイッチ９４の接点９４ｂに供給する。
【００３２】
＋８Ｖの直流電圧は、切換スイッチ８８に選択信号としても供給され、この信号が供給されたとき、切換スイッチ８８は、接触子８８ａを接点８８ｃ側に切換える。この信号が供給されていないとき、切換スイッチ８８は接触子８８ａを接点８８ｂ側に切換える。同様に、＋８Ｖの直流電圧は、切換スイッチ９４に選択信号として供給され、この信号が供給されたとき、切換スイッチ９４は接触子９４ｃを接点９４ｂ側に切換える。この信号が供給されていないとき、切換スイッチ９４は接触子９４ｃを接点９４ａ側に切換える。接触子９４ｃは高周波阻止コイル１００を介して入力端子３４に接続されている。
【００３３】
衛星通信用出力端子４８に供給された電圧が＋１５Ｖであるか＋１１Ｖであるかを比較回路１０２が判断しており、＋１５Ｖの直流電圧のとき、パルス発生回路１０４が駆動され、パルス信号をコンデンサ１０６を介して切換スイッチ９４の接点９４ｂに供給する。従って、衛星通信用出力端子４８に＋１５Ｖの直流電圧が供給されているとき、パルス信号を重畳した＋８Ｖの直流電圧が切換スイッチ９４を介して入力端子３４から出力され、衛星通信用出力端子４８に＋１１Ｖの直流電圧が供給されているとき、＋８Ｖの直流電圧が切換スイッチ９４を介して入力端子３４から出力される。
【００３４】
このように構成された衛星信号切換システムでは、図４（ａ）に示すように、デュアルビーム衛星通信受信用チューナ４４から＋１１Ｖの直流電圧のみが屋内用衛星信号切換装置３２の出力端子４２に供給されると、切換スイッチ９４を介して＋１１Ｖの直流電圧が入力端子３４に供給され、屋外用衛星信号切換装置８の出力端子２８に供給される。
【００３５】
この電圧は、電圧変換回路６４によって＋１５Ｖの直流電圧に変換され、衛星放送用入力端子１０に供給され、衛星放送用コンバータ４が動作し、衛星放送中間周波信号が入力端子１０から混合回路５６に供給される。＋１１Ｖの直流電圧は比較回路６８からデュアルビーム用入力端子１８に供給され、デュアルビーム用コンバータ１４を作動させる。このコンバータ１４は、第１の通信衛星からの垂直偏波の衛星通信中間周波信号をデュアルビーム用入力端子１８に供給し、この信号は切換スイッチ５４を介して混合回路５６に供給される。従って、第１の通信衛星からの垂直偏波の衛星通信中間周波信号と衛星放送中間周波信号との混合信号が出力端子２８から屋内用衛星信号切換装置３２の入力端子３４に供給される。
【００３６】
この混合信号は、分波回路８６において衛星放送中間周波信号と第１の通信衛星からの垂直偏波の衛星通信中間周波信号とに分波され、衛星放送中間周波信号は衛星放送用出力端子３６から衛星放送受信用チューナ３８に供給される。また、第１の通信衛星からの垂直偏波の衛星通信中間周波信号は、切換スイッチ８８、直流阻止コンデンサ９０を介してデュアルビーム衛星通信用出力端子４２からデュアルビーム衛星通信受信用チューナ４４に供給される。切換スイッチ８８、９４、電圧変換回路９８、比較回路１０２、パルス発生回路１０４が第２の制御部を構成している。
【００３７】
図４（ｂ）に示すように、デュアルビーム衛星通信用チューナ４４から＋１５Ｖの直流電圧のみが屋内用衛星信号切換装置３２のデュアルビーム衛星通信受信用出力端子４２に供給されると、上記と同様にして、第１の通信衛星の水平偏波の衛星通信中間周波信号がデュアルビーム衛星通信受信用チューナ４４に供給される。
【００３８】
図４（ｃ）に示すように、デュアルビーム衛星通信用チューナ４４からパルス信号を重畳した＋１１Ｖの直流電圧が屋内用衛星信号切換装置３２のデュアルビーム用出力端子４２に供給されると、上記と同様にして、第２の通信衛星の垂直偏波の衛星通信中間周波信号が、デュアルビーム衛星通信受信用チューナ４４に供給される。
【００３９】
図４（ｄ）に示すように、デュアルビーム衛星通信用チューナ４４からパルス信号を重畳した＋１５Ｖの直流電圧が屋内用衛星信号切換装置３２のデュアルビーム衛星通信用出力端子４２に供給されると、上記と同様にして、第２の通信衛星の水平偏波の衛星通信中間周波信号がデュアルビーム衛星通信受信用チューナ４４に供給される。
【００４０】
図４（ｅ）に示すように、衛星通信受信用チューナ５０から＋１１Ｖの直流電圧が屋内用衛星信号切換装置３２の衛星通信用出力端子４８に供給されると、この電圧は＋８Ｖの直流電圧に電圧変換回路９８によって変換される。この電圧によって切換スイッチ９４の接触子９４ｃが接点９４ｂ側に切換えられ、＋８Ｖの直流電圧が入力端子３４を介して屋外用衛星信号切換装置８の出力端子２８に供給される。
【００４１】
この＋８Ｖの直流電圧が供給されたとき、比較回路６８は、パルス検波回路７１を作動させるが、パルス信号が検出されないので、電圧変換回路８０が＋８Ｖの直流電圧を＋１１Ｖの直流電圧に変換し、これを衛星通信用入力端子２６に供給する。これによって、衛星通信用コンバータ２２が動作し、第３の通信衛星からの垂直偏波の衛星通信中間周波信号が衛星通信用入力端子２６から切換スイッチ５４に供給される。このとき、切換スイッチ５４の接触子５４ｃは比較回路６８の比較結果に従って接点５４ｂ側に切換えられているので、第３の通信衛星からの垂直偏波の衛星通信中間周波信号が混合回路５６に供給される。
【００４２】
＋８Ｖの直流電圧は、電圧変換回路６４によって＋１５Ｖの直流電圧に変換されているので、衛星放送用コンバータが動作し、衛星放送中間周波信号が衛星放送入力端子１０から混合回路５６に供給される。この混合回路５６の出力が、出力端子２８から屋内用衛星信号切換装置３２の入力端子３４に供給される。
【００４３】
衛星放送中間周波信号は、分波回路８６によって混合信号から分波されて、衛星放送用出力端子３６に供給される。第３の通信衛星からの垂直偏波の衛星通信中間周波信号は分波回路８６によって分波され、切換スイッチ８８に供給される。このとき、電圧変換回路９８の＋８Ｖの直流電圧によって接触子８８ａが接点８８ｃ側に切換えられているので、第３の通信衛星からの垂直偏波の衛星通信中間周波信号は衛星通信用出力端子４８に供給される。
【００４４】
図４（ｆ）に示すように、衛星通信受信用チューナ５０から＋１５Ｖの直流電圧が衛星通信用入力端子４８に供給されると、この電圧は＋８Ｖの直流電圧に電圧変換回路９８によって変換される。この電圧によって切換スイッチ９４の接触子９４ｃが接点９４ｂ側に切換えられ、＋８Ｖの直流電圧が入力端子３４を介して屋外用衛星信号切換装置８の出力端子２８に供給される。このとき、比較回路１０２が＋１５Ｖの直流電圧が供給されていることに応動して、パルス発生回路１０４を作動させるので、パルス信号も切換スイッチ９４を介して入力端子３４を介して屋外用衛星信号切換装置８の出力端子２８に供給される。
【００４５】
この＋８Ｖの直流電圧が供給されたとき、比較回路６８は、パルス検波回路７１を作動させる。パルス信号が検出されるので、電圧変換回路７４が＋８Ｖの直流電圧を＋１５Ｖの直流電圧に変換し、これを衛星通信用入力端子２６に供給する。これによって、衛星通信用コンバータ２２が動作し、第３の通信衛星からの水平偏波の衛星通信中間周波信号が衛星通信用入力端子２６から切換スイッチ５４に供給される。このとき、切換スイッチ５４の接触子５４ｃは比較回路６８の比較結果に従って接点５４ｂ側に切換えられているので、第３の通信衛星からの水平偏波の衛星通信中間周波信号が混合回路５６に供給される。
【００４６】
＋８Ｖの直流電圧は、電圧変換回路６４によって＋１５Ｖの直流電圧に変換されているので、衛星放送用コンバータ４が動作し、衛星放送中間周波信号が衛星放送入力端子１０から混合回路５６に供給される。この混合回路５６の出力が、出力端子２８から屋内用衛星信号切換装置３２の入力端子３４に供給される。
【００４７】
衛星放送中間周波信号は、分波回路８６によって混合信号から分波されて、衛星放送用出力端子３６に供給される。第３の通信衛星からの水平偏波の衛星通信中間周波信号は分波回路８６によって分波され、切換スイッチ８８に供給される。このとき、電圧変換回路９８の＋８Ｖの直流電圧によって接触子８８ａが接点８８ｃ側に切換えられているので、第３の通信衛星からの水平偏波の衛星通信中間周波信号は衛星通信用出力端子４８に供給される。
【００４８】
このように、デュアルビーム衛星通信受信用チューナ４４、衛星通信受信用チューナ５０が、共に＋１５Ｖまたは＋１１Ｖの直流電圧を発生しても、一方のチューナからの＋１５Ｖまたは＋１１Ｖの直流電圧を＋８Ｖでパルス信号が重畳されているものと重畳されていないものとに変換している。
【００４９】
第２の実施の形態の衛星信号切換システムを図５及び図６に示す。このシステムでは、＋８Ｖの電圧を使用する代わりに第２のパルス信号を使用している。
【００５０】
即ち、図６に示すように、屋内用衛星信号切換装置３２ａでは、図３の屋内用衛星信号切換装置３２に使用されていた電圧変換回路９８、比較回路１０２、パルス発生回路１０４が除去され、これに代えて、第２パルス発生回路１１０が使用されている。他の構成は、屋内用衛星信号切換装置３２と同一であるので、詳細な説明は省略する。第２のパルス信号は、デュアルビーム衛星通信受信用チューナ４４が発生するパルス信号とは周波数または振幅または両者が異なるものが、使用されている。
【００５１】
第２パルス発生回路１１０は、衛星通信用出力端子４８に＋１５Ｖまたは＋１１Ｖの直流電圧が衛星通信受信用チューナ５０から供給されたとき、第２のパルス信号を発生する。＋１５Ｖまたは＋１１Ｖの直流電圧に応動して切換スイッチ９４の接触子９４ｃが接点９４ｂに切換えられる。従って、衛星通信用出力端子４８に＋１５Ｖまたは＋１１Ｖの直流電圧が供給されたとき、第２のパルス信号を重畳した＋１５Ｖまたは＋１１Ｖの直流電圧が、入力端子３４から出力される。
【００５２】
屋外用衛星信号切換装置８ａでは、図５に示すように、比較回路６８、パルス検波回路７１及び電圧変換回路７４、８０、逆流阻止ダイオード７６、８２が除去され、代わりに第２パルス検波回路１１２と切換スイッチ１１４とが、設けられている。他の構成は、図２に示した屋外用衛星信号切換装置と同一であるので、詳細な説明は省略する。
【００５３】
第２パルス検波回路１１２は、出力端子２８から第２のパルス信号を重畳した＋１５Ｖまたは＋１１Ｖの直流電圧が供給されたとき、第２のパルス信号を検出し、切換スイッチ５４の接触子５４ｃを接点５４ｂ側に切換えると共に、切換スイッチ１１４の接触子１１４ｃを接点１１４ｂ側に切換える。切換スイッチ１１４は接点１１４ｂと接点１１４ａを有し、接点１１４ａは高周波阻止コイル７０を介してデュアルビーム用入力端子１８に接続され、接点１１４ｂは高周波阻止コイル７８を介して衛星通信用入力端子２６に接続されている。そして、接触子１１４ｃは、通常、接点１１４ａに接触しているが、第２のパルス信号が検出されたとき、接点１１４ｂに接触する。
【００５４】
従って、第２のパルス信号が検出されたとき、＋１５Ｖまたは＋１１Ｖの直流電圧が衛星通信用入力端子２６に供給される。第２のパルス信号が検出されないときには、切換スイッチ１１４の接触子１１４ｃが接点１１４ａ側に切換えられ、デュアルビーム衛星通信受信用チューナ４４が発生するパルス信号が重畳された或いは重畳されていない＋１５Ｖまたは＋１１Ｖの直流電圧が、デュアルビーム用入力端子１８に供給される。
【００５５】
この実施の形態では、＋１５Ｖまたは＋１１Ｖの直流電圧をパルス信号が重畳または非重畳された＋８Ｖの直流電圧に変換する必要がなく、屋外用及び屋内用衛星信号切換装置の構成を簡略化することができる。
【００５６】
上記の両実施の形態では、デュアルビーム用コンバータ１４を使用したので、デュアルビーム衛星通信受信用チューナ４４は、パルス信号を重畳した＋１５Ｖまたは＋１１Ｖの直流電圧を発生したが、衛星通信用コンバータ２２と同様なコンバータを使用することができ、この場合には、パルス信号を＋１５Ｖまたは＋１１Ｖの直流電圧に重畳する必要は無い。
【００５７】
上記の両実施の形態では、屋外用衛星信号切換装置８、８ａは、１つの出力端子２８を有するものとしたが、複数の出力端子を有するものとすることもできる。この場合、デュアルビーム用入力端子１８と衛星通信用入力端子２６とにそれぞれ分配数が等しい分配器を設け、両分配器の分配出力を切換える上記分配数と等しい数の切換スイッチ５４を設け、衛星放送入力端子１０にも上記の両分配器と分配数が等しい分配器を設け、この分配器の各分配出力と各切換スイッチの出力とをそれぞれ混合する、分配数に等しい数の混合回路を設け、この混合回路の出力を各出力端子に供給してもよい。この場合、第１の実施の形態では、比較回路６８、パルス検波回路７１、電圧変換回路７４、８０を、各切換スイッチ５４に対応させて設け、第２の実施の形態では、第２パルス検波回路１１２、切換スイッチ１１４を、各切換スイッチ５４に対応させて設ける。
【００５８】
両実施の形態では、切換スイッチ８８を使用したが、これに代えて分配器を使用することもできる。  両実施の形態では、衛星放送中間周波信号を出力するようにしたが、場合によっては、衛星通信放送の中間周波信号のみを出力するようにしてもよい。
【００５９】
【発明の効果】
以上のように、本発明によれば、衛星信号切換装置に１本の伝送線路を介して供給される電圧の値を変更することによって、或いは１本の伝送線路を介して供給されるパルス信号を異なったものとすることによって、異なるコンバータに供給する電圧を選択して、所望の衛星中間周波信号を出力させることができる。
【図面の簡単な説明】
【図１】本発明の第１の実施の形態の衛星信号切換システムのブロック図である。
【図２】図１の衛星信号切換システムに使用する屋外用衛星信号切換装置のブロック図である。
【図３】図１の衛星信号切換システムに使用する屋内用衛星信号切換装置のブロック図である。
【図４】図１の衛星信号切換システムにおける衛星中間周波信号と重畳電圧の流れを示す図である。
【図５】本発明の第２の実施の形態の衛星信号切換システムに使用する屋外用衛星信号切換装置のブロック図である。
【図６】本発明の第２の実施の形態の衛星信号切換システムに使用する屋内用衛星信号切換装置のブロック図である。
【符号の説明】
８  屋外用衛星信号切換装置
１４  デュアルビーム用コンバータ（第１の衛星用コンバータ）
１８  デュアルビーム用入力端子（第１の端子）
２２  衛星通信用コンバータ（第２の衛星用コンバータ）
２６  衛星通信用入力端子（第２の端子）
２８  出力端子（第３の端子）
３２  屋内用衛星信号切換装置
３４  入力端子（第４の端子）
４２  デュアルビーム衛星通信用出力端子（第５の端子）
４８  衛星通信用出力端子（第６の端子）
５４  切換スイッチ（第１の制御部）
６８  比較回路（第１の制御部）
７１  パルス検波回路（第１の制御部）
７４  電圧変換回路（第１の制御部）
８０  電圧変換回路（第１の制御部）
８８  切換スイッチ（第２の制御部）
９４  切換スイッチ（第２の制御部）
９８  電圧変換回路（第２の制御部）
１０２  比較回路（第２の制御部）
１０４  パルス発生回路（第２の制御部）
【図１】
0003554213.tif 000002
【図２】
0003554213.tif 000003
【図３】
0003554213.tif 000004
【図４】
0003554213.tif 000005
【図５】
0003554213.tif 000006
【図６】
0003554213.tif 000007